(57)【特許請求の範囲】
【請求項１】
塩水を昇圧する供給ポンプと、
昇圧された前記塩水を逆浸透膜によって第１淡水と第１濃縮水とに分離する１段目逆浸透膜モジュールと、
前記第１淡水を逆浸透膜によって第２淡水と第２濃縮水とに分離する２段目逆浸透膜モジュールと、
一端が塩水供給ユニットに結合され、他端が前記供給ポンプに結合された第１塩水供給ラインと、
一端が前記供給ポンプに結合され、他端が前記１段目逆浸透膜モジュールの供給口に結合された第２塩水供給ラインと、
一端が前記１段目逆浸透膜モジュールの第１淡水排出口に結合され、他端が前記２段目逆浸透膜モジュールの供給口に結合され、前記第１淡水の塩分濃度または塩分濃度に換算可能な物理量を測定できる水質計、バイパスライン分岐部およびバイパスライン切替ユニットを有する第１淡水排出ラインと、
一端が前記１段目逆浸透膜モジュールの第１濃縮水排出口に結合され、他端が濃縮水回収ユニットに結合された第１濃縮水排出ラインと、
一端が前記２段目逆浸透膜モジュールの第２淡水排出口に結合され、他端が処理水回収ユニットに結合された処理水排出ラインと、
一端が前記２段目逆浸透膜モジュールの第２濃縮水排出口に結合され、他端が前記第１濃縮水排出ラインに結合された第２濃縮水排出ラインと、
一端が前記バイパスライン分岐部に結合され、他端が前記処理水排出ラインに結合されたバイパスラインと、
前記水質計より得られた水質データに基づいて、前記バイパスライン切替ユニットを制御するバイパスライン制御ユニットと、
を備えた塩水淡水化装置。
【請求項２】
塩水を昇圧する供給ポンプと、
昇圧された前記塩水を逆浸透膜によって第１淡水と第１濃縮水とに分離する１段目逆浸透膜モジュールと、
前記第１淡水を逆浸透膜によって第２淡水と第２濃縮水とに分離する２段目逆浸透膜モジュールと、
一端が塩水供給ユニットに結合され、他端が前記供給ポンプに結合された第１塩水供給ラインと、
一端が前記供給ポンプに結合され、他端が前記１段目逆浸透膜モジュールの供給口に結合された第２塩水供給ラインと、
一端が前記１段目逆浸透膜モジュールの第１淡水排出口に結合され、他端が前記２段目逆浸透膜モジュールの供給口に結合され、バイパスライン分岐部およびバイパスライン切替ユニットを有する第１淡水排出ラインと、
一端が前記１段目逆浸透膜モジュールの第１濃縮水排出口に結合され、他端が濃縮水回収ユニットに結合された第１濃縮水排出ラインと、
一端が前記２段目逆浸透膜モジュールの第２淡水排出口に結合され、他端が処理水回収ユニットに結合された処理水排出ラインと、
一端が前記２段目逆浸透膜モジュールの第２濃縮水排出口に結合され、他端が前記第１濃縮水排出ラインに結合された第２濃縮水排出ラインと、
一端が前記バイパスライン分岐部に結合され、他端が前記処理水排出ラインに結合されたバイパスラインと、
を備えた塩水淡水化装置を用いて塩水を淡水化して処理水を得る造水方法であって、
前記第１淡水の塩分濃度または塩分濃度に換算可能な物理量に基づいて、前記バイパスライン切替ユニットを制御することを特徴とする造水方法。
【発明の詳細な説明】
【技術分野】
【０００１】
本発明は、逆浸透膜モジュールを用いて塩水から淡水を得る塩水淡水化装置および造水方法に関するものであって、詳しくは、処理水の水質に応じて最適な運転方法を決定する塩水淡水化装置および造水方法に関するものである。
【背景技術】
【０００２】
逆浸透膜法による海水淡水化及びかん水淡水化は、相変化無しに塩分や有害物質を分離除去でき、運転管理が容易でエネルギー的に有利であることから、飲料用或いは工業用の淡水を取得する分野で利用されている。逆浸透膜の透過性、分離性の低下を防ぐために、通常、海水やかん水を逆浸透膜に供給する前に、砂ろ過、凝集沈殿、加圧浮上、精密ろ過膜と限外ろ過膜のろ過などの方法を用いて前処理を行っている。
【０００３】
逆浸透膜の透過原理から、海水またはかん水など、ある程度の塩分を含んだ供給水が逆浸透膜を透過するには、高圧ポンプなどを用いて供給水の圧力を浸透圧以上にする必要がある。浸透圧は塩分濃度と関係するが、例えば海水を逆浸透膜で分離する場合、最低３MPa程度以上、実用性を考慮すると少なくとも５MPa程度以上の圧力が必要となる。かん水の場合でも最低１MPa程度以上の圧力が必要となる。
【０００４】
また生産水の目標水質に対し、１段の逆浸透膜モジュールのみで必要な処理水水質が得られない場合、１段目逆浸透膜モジュールの処理水を２段目逆浸透膜モジュールに供給して処理を行う２段処理を行うことがある。２段処理を行うことにより、１段の逆浸透膜モジュールのみでは得られなかった良好な処理水水質を得ることができる。一方で、２段処理を行う上でのデメリットとして、トータル回収率の低下が挙げられる。回収率とは、処理水量／供給水量の比を示し、１に近いほど同量の供給水から得られる処理水量が多いことを示す。トータル回収率とは、２段の逆浸透膜モジュールを備えた塩水淡水化装置における、２段目処理水量／１段目供給水量の比を示す。一般的なTDS(総溶存塩濃度)が35000mg/Lの海水を処理する場合、１段目逆浸透膜モジュールの回収率は３０％〜６０％程度であり、２段目逆浸透膜モジュールの回収率は７０％〜９０％程度とすることが多い。つまり、１段処理では３０％〜６０％程度の回収率で処理水を生産できていたが、２段処理とすることよってトータル回収率が２１％〜５４％に低下する。
【０００５】
供給水が、あらかじめ塩分濃度が明確となっている水であれば、その供給水の塩分濃度にあわせて装置を設計することによって、必要な処理水水質、水量を得ることができるが、災害対策用などの様々な原水を供給水として使用しなければならない装置においては、供給水の塩分濃度が設計時から明らかになっておらず、１段処理で処理可能な低塩分濃度の水を２段処理してしまうと、無駄に処理水量を減らすことになってしまう。
【０００６】
この問題を解決するため、様々な提案がなされている。特許文献１では原水が海水の場合は２段処理を行い、かん水の場合は１段処理できるよう２段目逆浸透膜モジュールをバイパスするラインを用いた造水方法を提案している。
【先行技術文献】
【特許文献】
【０００７】
【特許文献１】特開２００６−２６３５４２号公報
【発明の概要】
【発明が解決しようとする課題】
【０００８】
しかしながら、１段目逆浸透膜モジュールの処理水は原水が海水、かん水であるか、すなわち原水の塩分濃度以外にも様々な変動要因がある。
【０００９】
例えば通常逆浸透膜は連続もしくは断続運転することによりは経時劣化するため、その脱塩処理能力も徐々に低下する。その結果、１段処理時に生産水基準を逸脱した処理水を生産してしまう問題を抱えている。また逆浸透膜の処理能力は供給水の温度によっても大きく左右され、例えば海水などの高塩分濃度を供給水とする場合、温度が低ければ供給水の粘度が上昇し１段目逆浸透膜の脱塩能力が向上し、１段処理で十分な水質にも関わらず、２段処理を行うことで無駄に生産水を減少させてしまう問題を抱えている。
【００１０】
本発明の目的は、逆浸透膜モジュールを用いて海水やかん水などの塩水から淡水を得る塩水淡水化装置において、原水の塩分濃度、原水温度、１段目逆浸透膜モジュールの脱塩性能等によらず一定の処理水量、処理水質を確保することができる。
【課題を解決するための手段】
【００１１】
前記課題を解決するための本発明は、次の特徴を有するものである。
【００１２】
（１）塩水を昇圧する供給ポンプと、昇圧された前記塩水を逆浸透膜によって第１淡水と第１濃縮水とに分離する１段目逆浸透膜モジュールと、前記第１淡水を逆浸透膜によって第２淡水と第２濃縮水とに分離する２段目逆浸透膜モジュールと、一端が塩水供給ユニットに結合され、他端が前記供給ポンプに結合された第１塩水供給ラインと、一端が前記供給ポンプに結合され、他端が前記１段目逆浸透膜モジュールの供給口に結合された第２塩水供給ラインと、一端が前記１段目逆浸透膜モジュールの第１淡水排出口に結合され、他端が前記２段目逆浸透膜モジュールの供給口に結合され、前記第１淡水の塩分濃度または塩分濃度に換算可能な物理量を測定できる水質計、バイパスライン分岐部およびバイパスライン切替ユニットを有する第１淡水排出ラインと、一端が前記１段目逆浸透膜モジュールの第１濃縮水排出口に結合され、他端が濃縮水回収ユニットに結合された第１濃縮水排出ラインと、一端が前記２段目逆浸透膜モジュールの第２淡水排出口に結合され、他端が処理水回収ユニットに結合された処理水排出ラインと、一端が前記２段目逆浸透膜モジュールの第２濃縮水排出口に結合され、他端が前記第１濃縮水排出ラインに結合された第２濃縮水排出ラインと、一端が前記バイパスライン分岐部に結合され、他端が前記処理水排出ラインに結合されたバイパスラインと、前記水質計より得られた水質データに基づいて、前記バイパスライン切替ユニットを制御するバイパスライン制御ユニットと、を備えた塩水淡水化装置。
【００１３】
（２）塩水を昇圧する供給ポンプと、昇圧された前記塩水を逆浸透膜によって第１淡水と第１濃縮水とに分離する１段目逆浸透膜モジュールと、前記第１淡水を逆浸透膜によって第２淡水と第２濃縮水とに分離する２段目逆浸透膜モジュールと、一端が塩水供給ユニットに結合され、他端が前記供給ポンプに結合された第１塩水供給ラインと、一端が前記供給ポンプに結合され、他端が前記１段目逆浸透膜モジュールの供給口に結合された第２塩水供給ラインと、一端が前記１段目逆浸透膜モジュールの第１淡水排出口に結合され、他端が前記２段目逆浸透膜モジュールの供給口に結合され、バイパスライン分岐部およびバイパスライン切替ユニットを有する第１淡水排出ラインと、一端が前記１段目逆浸透膜モジュールの第１濃縮水排出口に結合され、他端が濃縮水回収ユニットに結合された第１濃縮水排出ラインと、一端が前記２段目逆浸透膜モジュールの第２淡水排出口に結合され、他端が処理水回収ユニットに結合された処理水排出ラインと、一端が前記２段目逆浸透膜モジュールの第２濃縮水排出口に結合され、他端が前記第１濃縮水排出ラインに結合された第２濃縮水排出ラインと、一端が前記バイパスライン分岐部に結合され、他端が前記処理水排出ラインに結合されたバイパスラインと、を備えた塩水淡水化装置を用いて塩水を淡水化して処理水を得る造水方法であって、前記第１淡水の塩分濃度または塩分濃度に換算可能な物理量に基づいて、前記バイパスライン切替ユニットを制御することを特徴とする造水方法。
【発明の効果】
【００１４】
本発明によれば、逆浸透膜モジュールを用いて海水やかん水などの塩水から淡水を得る塩水淡水化装置において、原水の塩分濃度、原水温度、１段目逆浸透膜モジュールの脱塩性能等によらず１段目逆浸透膜モジュールの処理水水質を目標水質と比較し、２段目逆浸透膜モジュールのバイパスラインを切り替えることで一定の処理水量、処理水質を確保することができる。
【図面の簡単な説明】
【００１５】
【図１】本発明の造水方法に係る１段目逆浸透膜モジュールの処理水水質を計測可能とした塩水淡水化装置を示すフロー図である。
【図２】１段目逆浸透膜モジュール、及び２段目逆浸透膜モジュールを有する従来の塩水淡水化装置を示すフロー図である。
【発明を実施するための形態】
【００１６】
本発明の実施形態を説明するために、まず、１段目逆浸透膜モジュール、及び２段目逆浸透膜モジュールを有する従来の塩水淡水化装置を比較例として説明する。
【００１７】
従来の塩水淡水化装置は、図２に示すように、主に、供給ポンプ１、逆浸透膜（ＲＯ膜）からなる１段目逆浸透膜モジュール２、同じく逆浸透膜からなる２段目逆浸透膜モジュール３、２段目逆浸透膜モジュール３への通水ラインとバイパスライン１６とを切り替えるための２段目逆浸透膜供給弁４、２段目逆浸透膜バイパス弁５、２段目逆浸透膜モジュール３への逆流を防止する２段目逆浸透膜モジュール淡水出口逆止弁６からなる。
【００１８】
従来の塩水淡水化装置の塩水淡水化のフローは、典型的には次に述べるとおりである。前処理装置から導入された塩水が供給ポンプ１によって加圧され、１段目逆浸透膜モジュール２に供給される。１段目逆浸透膜モジュール２にて、逆浸透膜法により第１淡水、及び第１濃縮水に分離され、その第１淡水は２段目逆浸透膜モジュール３に供給される。２段目逆浸透膜モジュール３にて、逆浸透膜法により第２淡水、及び第２濃縮水に分離され、第２淡水は処理水として取り出される。１段目逆浸透膜モジュール２から排出される第１濃縮水、及び２段目逆浸透膜モジュール３から排出される第２濃縮水はいずれも濃縮水として系外に排出される。
【００１９】
従来の塩水淡水化装置を用いた造水方法は、典型的には次に述べるとおりである。前処理装置に導入される塩水が海水の場合、１段目逆浸透膜モジュールの第１淡水を２段目逆浸透膜モジュール３に供給し処理水を得る。即ち、２段目逆浸透膜供給弁４を開とし、且つ２段目逆浸透膜バイパス弁５を閉止し、１段目逆浸透膜モジュール２で得られた第１淡水の全量を２段目逆浸透膜モジュール３に供給し、処理水を得る。前処理に供給される塩水がかん水の場合、１段目逆浸透膜モジュール２の第１淡水を２段目逆浸透膜モジュール３をバイパスして処理水を得る。即ち２段目逆浸透膜供給弁４を閉止し、且つ２段目逆浸透膜バイパス弁５を開とし、１段目逆浸透膜モジュール２で得られた第１淡水をそのまま処理水として系外に排出する。
【００２０】
ここで、本発明に係る１段目逆浸透膜モジュール２および２段目逆浸透膜モジュール３に使用される逆浸透膜とは、供給液の一部の成分、例えば塩分を透過させ他の成分を透過させない半透性膜である。その素材には酢酸セルロース系ポリマー、ポリアミド、ポリエステル、ポリイミド、ビニルポリマーなどの高分子素材が使用できる。膜形態には中空糸膜、平膜などがある。本発明では、逆浸透膜の素材、膜形態によらず利用することができる。いずれの膜素材及び、膜形態を使用した場合でも断続、もしくは連続的に脱塩処理を行うことで、その脱塩能力は経時的に低下する。そのため、従来の塩水淡水化装置を用いた造水方法では、かん水を供給水とする１段処理において生産水水質も経時的に低下し、その結果、生産水基準を逸脱する問題を抱えている。
【００２１】
ここで本発明に係る１段目逆浸透膜モジュール２及び、２段目逆浸透膜モジュール３に使用される逆浸透膜は原水である塩水の粘度によりその脱塩能力は大きく左右される。つまり粘度が高ければ脱塩能力が向上し、粘度が低くなれば脱塩能力は低下する。また災害対策用の塩水淡水化装置などでは、原水となる塩水には北極圏などの０℃に近い海水から、中東の４０℃を超える海水も対象となる。一般的に温度が低くなるにつれ塩水の粘度は上昇し、温度が高くなるにつれ塩水の粘度は低下する。即ち温度の低い塩水を脱塩処理する場合、脱塩能力は向上し、温度の高い塩水を脱塩処理する場合、脱塩能力は低下する。例えば塩水塩濃度（TDS）25,000ｍｇ／Lの場合、水温が３０℃以上であれば１段目逆浸透膜モジュール処理後の処理水塩濃度（TDS）は200mg／L以上となり、水温が３０℃未満であれば１段目逆浸透膜モジュール処理後の処理水塩濃度(TDS)は200mg／L未満となる。つまりは従来の塩水淡水化装置の造水方法では海水であれば必ず２段処理を行っているため温度の低い海水を処理する場合、必要以上に脱塩することにより回収率の低下を招き、結果生産水量を無駄に低下させている問題がある。
【００２２】
また災害対策用の塩水淡水化装置などで処理する塩水とは塩分を含む水の総称であり、塩化物イオン濃度が300から15,000mg／Ｌ程度の一般的にかん水と呼称する比較的低濃度の塩水や、塩化物イオン濃度が15,000から40,000mg／Ｌ程度の一般的に海水と呼称する比較的高濃度の塩水などを指すが、海水とかん水には明確な区分けは無く、比較的低濃度の海水をかん水として扱っても良い。さらには塩水の取水場所によって、例えば海に近い河川などは、潮の満ち引き等により経時的に塩分濃度は変化する。従来の塩水淡水化装置においては前記のように経時的に塩分濃度が変化する塩水を処理することから２段目逆浸透膜モジュールのバイパス可否判断するにあたり困難である問題を抱えている。
【００２３】
前記のような様々な問題を解決するための本発明では原水水質、温度、逆浸透膜の脱塩性能によらず一定の処理水質、処理水量を得ることができる造水方法を提案する。本発明に係る実施形態は図１に示す通りである。
図１に示すように、主に、塩水を昇圧する供給ポンプ１と、昇圧された前記塩水を逆浸透膜によって第１淡水と第１濃縮水とに分離する１段目逆浸透膜モジュール２と、前記第１淡水を逆浸透膜によって第２淡水と第２濃縮水とに分離する２段目逆浸透膜モジュール３と、一端が塩水供給ユニットに結合され、他端が供給ポンプ１に結合された第１塩水供給ライン９と、一端が供給ポンプ１に結合され、他端が１段目逆浸透膜モジュール２の供給口に結合された第２塩水供給ライン１０と、一端が１段目逆浸透膜モジュール２の第１淡水排出口に結合され、他端が２段目逆浸透膜モジュール３の供給口に結合され、前記第１淡水の塩分濃度または塩分濃度に換算可能な物理量を測定できる水質計７、バイパスライン分岐部１１およびバイパスライン切替ユニットを有する第１淡水排出ライン１２と、一端が１段目逆浸透膜モジュール２の第１濃縮水排出口に結合され、他端が濃縮水回収ユニットに結合された第１濃縮水排出ライン１３と、一端が２段目逆浸透膜モジュール３の第２淡水排出口に結合され、他端が処理水回収ユニットに結合された処理水排出ライン１４と、一端が２段目逆浸透膜モジュール３の第２濃縮水排出口に結合され、他端が第１濃縮水排出ライン１３に結合された第２濃縮水排出ライン１５と、一端がバイパスライン分岐部１１に結合され、他端が処理水排出ライン１４に結合されたバイパスライン１６と、水質計７より得られた水質データに基づいて、前記バイパスライン切替ユニットを制御するバイパスライン制御ユニット８と、を備える。
【００２４】
ここで１段目逆浸透膜モジュールの処理水水質を計測する水質計は塩分濃度を測定できるもの、若しくは塩分濃度と相関があって塩分濃度に換算可能な物理量である電気伝導度、塩化物イオン量、ナトリウムイオン量、総電解質量、屈折率、分光光度等であれば制約は無く、例えば電気伝導度計や塩分濃度計、ＴＤＳ計、屈折率計、分光式濃度計などを使用することができる。
【００２５】
例えば電気伝導度計を例に取ると、塩分濃度は被測定液体の電解質の量つまりは電気伝導度及び、温度と一定の相関係数を有した相関特性に依存して変化する。すなわち電気伝導度及び、温度を測定し前記相関特性を介して塩分濃度に換算することができる。また屈折率計を例に取ると、被測定液体と検出部であるプリズムの境界面にできる屈折率は塩分濃度、及び、温度と一定の相関係数を有した相関特性に依存して変化する。即ち、被測定液体の屈折率と温度を測定し前記相関特性を介して塩分濃度に換算することができる。
【００２６】
またバイパスライン１６への切り替え手段である２段目逆浸透膜供給弁４、２段目逆浸透膜バイパス弁５は送水ラインを切り替えるものであれば特に制約は無く、その形態はボール弁、バタフライ弁、グローブ弁等を使用することができる。その駆動方式は制御装置などから自動切り替え可能な駆動方式が望ましく、電気モータ駆動による電動弁や圧縮空気駆動によるエアー駆動弁、電磁コイルを駆動源とした電磁弁などを使用することができる。また水質比較演算制御部８は水質データを水質基準値と比較し、前記切り替え手段であるバルブへの切り替え指示を出力できるものであれば特に制約は無く、例えばプログラマブルロジックコントローラ（ＰＬＣ）や分散型コントロールシステム（ＤＣＳ）、ディジタル指示計、マイコンなどを使用することができる。
【００２７】
また本発明の塩水淡水化装置は主に災害対策用等で使用されることを考慮し、取水場所への可搬性等から小スペースに設置可能なコンパクトな装置構成が必要である。そのため１段目逆浸透膜モジュール２の処理水ラインと２段目逆浸透膜モジュール３の供給水ラインは直接接続され、１段目処理水を貯留する中間タンクや前記中間タンクから２段目逆浸透膜モジュールへ供給するための供給ポンプは設置せず、１段目逆浸透膜モジュール２と２段目逆浸透膜モジュール３とが直結配置とされていることが好ましい。
【００２８】
本発明の造水方法は、具体的には次の通り実施される。
【００２９】
原水が海水、かん水に関わらず、いかなる水質、温度であっても、また１段目逆浸透膜の性能劣化具合に関わらず、塩水を１段目逆浸透膜モジュール２へ供給し、第１淡水と第２濃縮水に分離する。同時に１段目逆浸透膜モジュール２より得られた第１淡水の塩分濃度または塩分濃度に換算可能な物理量を水質計により計測し、計測した水質データを水質比較演算制御部にて水質基準値と比較演算を行う。この時、計測した水質データが水質基準値未満であれば、水質比較演算部からの切り替え指示により２段目逆浸透膜モジュール供給弁４を閉止し、且つ２段目逆浸透膜モジュールバイパス弁５を開とし、１段目逆浸透膜モジュール２で得られた第１淡水をそのまま生産水としてバイパスライン１６を介し、系外に排出する。また計測した水質データが水質基準値以上であれば水質比較演算部からの切り替え指示により２段目逆浸透膜供給弁４を開とし、且つ２段目逆浸透膜バイパス弁５を閉止し、１段目逆浸透膜モジュール２で得られた第１淡水の全量を２段目逆浸透膜モジュール３に供給し、生産水を得る。
【００３０】
ここで水質比較演算部にて比較する水質基準値は特に制約はなく、生産水の用途によって決定される閾値である。例えば、飲料水として使うので有れば世界保健機構（ＷＨＯ）の水質基準値（ＴＤＳ：５００ｍｇ／Ｌ）や日本水質基準で規定されている基準値（ＴＤＳ：２００ｍｇ／Ｌ）を使用することが望ましい。また半導体等の工業用水として使用する超純水であれば用途的に高純度の水質が求められ、飲料水基準よりはるかに低い基準値を使用し、例えばＴＤＳ値で０．０５ｍｇ／Ｌ程度とすることが望ましい。
【００３１】
具体的な実施例は下記の通りである。
【００３２】
前処理装置へ供給される塩水のＴＤＳ値が２５，０００ｍｇ／Ｌ、水温２５℃、ポリアミドを膜素材とした逆浸透膜を使用し、第１淡水水質基準値をＴＤＳ値２００ｍｇ／Ｌとしたとき、１段目逆浸透膜モジュール２の第１淡水の処理水水質はＴＤＳ値１５０ｍｇ／Ｌとなり、日本飲料水基準値２００ｍｇ／Ｌを満足し、比較演算制御部からの指示によりバイパスライン１６へ切り替えられ、第１淡水はバイパスライン１６を経由して生産水として系外に排出された。
【００３３】
一方で前処理装置へ供給される塩水のＴＤＳ値が２５，０００ｍｇ／Ｌ、水温３６℃、ポリアミドを膜素材とした逆浸透膜を使用し、第１淡水水質基準値をＴＤＳ値２００ｍｇ／Ｌとしたとき、１段目逆浸透膜モジュール２の第１淡水の処理水水質はＴＤＳ値３５０ｍｇ／Ｌとなり、日本飲料水基準値２００ｍｇ／Ｌを満足せず、比較演算制御部からの指示により１段目逆浸透膜モジュール２から排出される第１淡水を２段目逆浸透膜モジュール３への送水ラインに切り替えられ、２段目逆浸透膜モジュール３より排出される第２淡水を生産水として系外に排出された。
【００３４】
このように、本発明の造水方法に基づき、原水の塩分濃度、原水温度、１段目逆浸透膜モジュールの脱塩性能等によらず１段目逆浸透膜モジュールの処理水水質を水質基準値と比較し、２段目逆浸透膜モジュールのバイパスラインを切り替えることで一定の処理水量、処理水質を確保することができる。
【符号の説明】
【００３５】
１：供給ポンプ
２：１段目逆浸透膜モジュール
３：２段目逆浸透膜モジュール
４：２段目逆浸透膜供給弁
５：２段目逆浸透膜バイパス弁
６：２段目逆浸透膜モジュール淡水出口逆止弁
７：水質計
８：バイパスライン制御ユニット
９：第１塩水供給ライン
１０：第２塩水供給ライン
１１：バイパスライン分岐部
１２：第１淡水排出ライン
１３：第１濃縮水排出ライン
１４：処理水排出ライン
１５：第２濃縮水排出ライン
１６：バイパスライン
【図１】
0005966639.tif 000002
【図２】
0005966639.tif 000003